(57)【要約】【課題】  本発明では、シリカ・アルミナ・硫酸カルシウム系の被毒物質で活性が低下した脱硝触媒の活性の回復方法を提供することを目的とするものである。【解決手段】  シリカ・アルミナ・硫酸カルシウム系の被毒物質で活性が低下した脱硝触媒を予め水洗いし、含水させた後に有機酸とフッ化水素酸との混酸を用いて同物質を常温で洗浄除去することを特徴とし、上記混酸の有機酸がシュウ酸又はクエン酸であって、活性が低下した脱硝触媒に上記混酸をかけ流した後、又は上記混酸を入れたタンクに脱硝触媒を所定時間浸漬し引き上げた後、触媒底部から送風して水切りを行うことを特徴とする触媒活性の改良方法。【選択図】  図２
2011031237.tif 000002
【特許請求の範囲】
【請求項１】
ボイラー等の排ガスに使用する排煙脱硝装置における触媒活性改良方法において、シリカ・アルミナ・硫酸カルシウム系の被毒物質で活性が低下した脱硝触媒を予め水洗いし、含水させた後に有機酸とフッ化物との混液を用いて同物質を常温で洗浄除去することを特徴とする排煙脱硝装置における触媒活性改良方法。
【請求項２】
上記混液の有機酸がシュウ酸又はクエン酸である請求項１記載の排煙脱硝装置における触媒活性改良方法。
【請求項３】
上記混液のフッ化物がフッ化水素酸又は水溶性フッ化物塩である請求項１記載の排煙脱硝装置における触媒活性改良方法。
【請求項４】
活性が低下した上記脱硝触媒に上記混液をかけ流した後、引き上げて水切りした後、フッ化物を後工程に持ち込まないように付着混液を水又は希薄な有機酸でリンスし、さらに触媒成分を含む水溶液でリンスして洗い流した後、触媒底部から送風して水切りを行うことを特徴とする請求項１〜３のいずれかに記載の排煙脱硝装置における触媒活性改良方法。
【請求項５】
上記触媒成分がバナジウム化合物とタングステン化合物である請求項４記載の排煙脱硝装置における触媒活性改良方法。
【請求項６】
上記混液の槽中に上記触媒を浸漬し、該触媒上部に設置したポンプで上記混液を該触媒底部から吸引し循環流動させた後、引き上げて水切りした後、上記フッ化物を後工程に持ち込まないように付着混液を水又は希薄な有機酸でリンスして洗い流した後、該触媒の底部から送風して水切りを行うことを特徴とする請求項１〜３のいずれかに記載の排煙脱硝装置における触媒活性改良方法。
【請求項７】
触媒上部から、混液をシャワーノズルで散布し、触媒底部から流れ出る混液を回収し、ポンプで汲み上げてシャワーノズルに供給して循環洗浄後、引き上げて水切りした後、フッ化物を後工程に持ち込まないように付着混液を水又は希薄な有機酸でリンスし、さらに触媒成分を含む水溶液でリンスして洗い流した後、同触媒の底部から送風して水切りを行うことを特徴とする請求項１〜４のいずれかに記載の排煙脱硝装置における触媒活性改良方法。
【発明の詳細な説明】
【技術分野】
【０００１】
本発明は、ボイラー等の排ガスに使用する排煙脱硝装置において、被毒物質が触媒に蓄積し、それによって活性が低下した脱硝触媒の活性の改良方法に関するものである。
【背景技術】
【０００２】
近年の石炭性状の多様化や運用形態の変化も加わり、触媒表面にシリカ・アルミナ・硫酸カルシウム系の被毒物質の緻密なコート層を形成し、従来の触媒の再生工法では上記被毒物質が十分に除去されないケースが見られるようになってきている。
【０００３】
シリカ系の被毒物質で性能低下した脱硝触媒の再生方法として、洗浄液中のフッ化水素酸の濃度を０．３〜３重量％とし、溶解除去力高めるために洗浄液温を４０〜８０℃に維持する方法が用いられた（特許文献１）。
【０００４】
一般的にフッ化水素酸はシリカに対して著しく溶解除去力が高いことが知られている。
フッ化水素酸は、濃度を高くすれば被毒物質の溶解除去力が増す反面、副作用として触媒強度を低下させる問題がある。
又フッ化水素酸で活性が低下した触媒を直接洗うと、溶解除去力が大きいことから被毒物質の溶解除去だけでなく、触媒成分のバナジウムやタングステンも溶出し、反って性能回復が悪くなることがある。さらに、フッ化水素酸の液温を高めると低濃度でも溶解力が大きくなり、前述の触媒強度低下を助長する恐れがある。
【０００５】
又触媒には、被毒物質のシリカ以外にフッ化水素酸と反応して難溶性の化合物を生成するカルシウム成分も含まれており、同化合物が被毒物質のコート層に沈着した場合、シリカの溶解除去を阻害する問題がある。
【０００６】
一方、触媒は多孔質であり、その乾燥重量の２〜３割相当の吸水能力がある。
このため、そのままで触媒の洗浄に入ると、洗浄液の消費量が甚だしいだけではなく、必要でない触媒の構成素材内部にまで洗浄液中のフッ化水素酸が浸入し、触媒強度の維持に必要な無機繊維中のシリカの溶解による触媒強度の低下の原因となる。
【０００７】
又被毒物質の組成に近い物質を含む燃焼灰も付着しており、フッ化水素酸がこれらの溶解にも費やされるので、予め洗浄液中のフッ化水素酸濃度を高めておかないと溶解除去力の不足につながる。
【先行技術文献】
【特許文献】
【０００８】
【特許文献１】特許第３３７７７１５号
【発明の概要】
【発明が解決しようとする課題】
【０００９】
現行の触媒活性の改良工法では、繰り返し施工した場合や長期使用で著しく活性が低下している触媒で再生率が低下し、洗浄時間を長くしないと十分な効果が得られなくなるケースがある。
洗浄時間の延長は、施工期間の延長につながるため、工期の面から触媒活性改良工法の適用が困難になることも考えられる。
この原因は、次の１、２、３であることを突き止めた。
１．シリカ・アルミナ・硫酸カルシウム系の被毒物質のコート層が運用条件によっては緻密化し、難溶化する。
２．シリカ・アルミナ・硫酸カルシウム系の被毒物質のコート層の中でシリカ成分の除去が不十分となる。
３．再生によるシリカ・アルミナ・硫酸カルシウム系の被毒物質のコート層が十分除去できないと触媒成分を追加付着させても性能回復させなければならない。
本発明では、シリカ・アルミナ・硫酸カルシウム系の被毒物質で活性が低下した脱硝触媒の活性の回復方法を提供することを目的とするものである。
【課題を解決するための手段】
【００１０】
上記の目的を達成するため本発明は
第１にボイラー等の排ガスに使用する排煙脱硝装置における触媒活性改良方法において、シリカ・アルミナ・硫酸カルシウム系の被毒物質で活性が低下した脱硝触媒を予め水洗いし、含水させた後に有機酸とフッ化物との混液を用いて同物質を常温で洗浄除去することを特徴とする排煙脱硝装置における触媒活性改良方法、
第２に上記混液の有機酸がシュウ酸又はクエン酸である上記第１発明記載の排煙脱硝装置における触媒活性改良方法、
第３に上記混液のフッ化物がフッ化水素酸又は水溶性フッ化物塩である上記第１発明記載の排煙脱硝装置における触媒活性改良方法、
第４に活性が低下した上記脱硝触媒に上記混液をかけ流した後、引き上げて水切りした後、フッ化物を後工程に持ち込まないように付着混液を水又は希薄な有機酸でリンスし、さらに触媒成分を含む水溶液でリンスして洗い流した後、触媒底部から送風して水切りを行うことを特徴とする上記第１〜第３発明の何れかに記載の排煙脱硝装置における触媒活性改良方法、
第５に上記触媒成分がバナジウム化合物とタングステン化合物である上記第４発明記載の排煙脱硝装置における触媒活性改良方法、
第６に上記混液の槽中に上記触媒を浸漬し、該触媒上部に設置したポンプで上記混液を該触媒底部から吸引し循環流動させた後、引き上げて水切りした後、上記フッ化物を後工程に持ち込まないように付着混液を水又は希薄な有機酸でリンスして洗い流した後、該触媒の底部から送風して水切りを行うことを特徴とする上記第１〜第３発明のいずれかに記載の排煙脱硝装置における触媒活性改良方法、
第７に触媒上部から、混液をシャワーノズルで散布し、触媒底部から流れ出る混液を回収し、ポンプで汲み上げてシャワーノズルに供給して循環洗浄後、引き上げて水切りした後、フッ化物を後工程に持ち込まないように付着混液を水又は希薄な有機酸でリンスし、さらに触媒成分を含む水溶液でリンスして洗い流した後、同触媒の底部から送風して水切りを行うことを特徴とする上記第１〜第４発明のいずれかに記載の排煙脱硝装置における触媒活性改良方法、
によって構成される。
【００１１】
シリカ・アルミナ・硫酸カルシウム系の被毒物質でコーティングされた活性の低下した触媒を、予め水洗いを行い、飽和吸水させた後に、有機酸とフッ化物の混液による洗浄を行う。
有機酸としては、アルミナやカルシウム化合物の除去に有効なシュウ酸又はクエン酸が望ましい。
上記混液による洗浄は、上記槽内の混液浴への浸漬洗浄、循環シャワー洗浄のいずれかで数分間すれば良い。
洗浄後は、フッ化物を後工程に持ち込まないように付着混液を十分に水又は希薄な有機酸でリンスして洗い流した後、触媒底部から送風して水切りを行う。
【発明の効果】
【００１２】
混液で洗浄する前に、予め触媒を水洗いして吸水させておくことで、以下の効果が得られる。
１．シリカ・アルミナ・硫酸カルシウム成分を含有する付着灰の大半が取り除かれるため、同付着灰の溶解に消費される混液の量と濃度を低減できる。
２．混液洗浄時における触媒及び触媒間（図８の間隙ｔ）に介在する触媒緩衝材としてのセラミックスペーパーへの混液の吸収が抑制されることで混液消費量の大幅な削減。
３．セラミックスペーパーの隙間内に水分が満たされることで、混液の上記ペーパーへの侵入が阻止され、混液によるセラミックスペーパーの損傷と脱落を防止。
４．触媒内部に吸水した水分で混液が侵入するのを阻止することで、触媒強度を高めるために添加されているフィラー中のシリカの溶解による触媒強度の低下防止。
５．混液が触媒内部に吸収されずに触媒表面の数ミクロン以下の極薄い被毒物質コート層に作用するため、低い酸濃度で且つ触媒自体の損傷を抑えて洗浄ができる。
６．フッ化水素酸の代わりにフッ化物塩を使用することで作業環境中のフッ化水素濃度が低く抑えられるので層内装着での触媒洗浄作業も可能となる。
７．混液として水溶性フッ化物塩を使用する場合は、混液が毒物ではないので、屋内での洗浄作業が可能となる。
【００１３】
有機酸とフッ化物との混液にすることで、以下の効果が得られる。
１．フッ化物と反応してシリカの溶解促進を阻害する難溶性の化合物を生成するカルシウム化合物が存在する場合でも、有機酸でこれを溶解できる。
２．シリカ・アルミナ・硫酸カルシウム化合物系の被毒物質のコート層を数分間で溶解除去できる。
３．触媒の強度低下に影響を与えるフッ化物の濃度を抑えて、加温することなく常温でシリカ・アルミナ・硫酸カルシウム系の被毒物質コート層を洗浄除去できる。
４．上記フッ化物洗浄により触媒成分が溶出し、触媒成分の損失を補うため、触媒成分（バナジウム化合物とタングステン化合物）を含む水溶液でリンスし、触媒表面の触媒成分を補填し、触媒性能の低下を防止することができる。
【図面の簡単な説明】
【００１４】
【図１】被毒物質の水洗い状態図である。
【図２】混液浸漬による被毒物質除去工程図である。
【図３】送風水切り状態図である。
【図４】供給タンク内の混液をシャワーノズルで散布し、該混液をシート上で回収し、これをポンプ及びパイプでケースに循環させる工程図である。この工程の前に清水洗浄を行う。
【図５】混酸洗浄後の水又はリンス液１２による洗浄状態図である。
【図６】送風水切り状態図である。
【図７】脱硝装置内の脱硝触媒の洗浄状態図である。
【図８】触媒の間隙を示す図である。
【発明を実施するための形態】
【００１５】
本発明は、ボイラー等の排ガスに使用する排煙脱硝装置において、シリカ・アルミナ・硫酸カルシウム系の被毒物質でコーティングされた活性の低下した触媒（バナジウムとチタニアを主成分とする脱硝触媒）２をバスケット１内に保持し、これを水槽３内の清水４内に浸漬して予め水洗いすること（図１）、又はシャワーノズル１０での散水による触媒２の水洗い工程（図５）によって付着灰を取り除く構成、次にこれを常温の混液収容槽５内に浸漬し、混液６をポンプ７及びパイプ８で上記バスケット１内を通過循環させる混液での洗浄工程（図２）、又はシャワーノズル１０によって混液６を散布する洗浄工程（図４）、洗浄後のバスケット１の付着混液を水又は希薄な有機酸（リンス液１２）でリンスして洗い流すリンス工程１３（図５）、及び図３、図６に示す送風ブロワー９による水切り乾燥工程からなる。
【００１６】
＜触媒層内での循環散布洗浄のケース＞
基本的には、特許第３８７２６５６号及び特許第４２６３９３０号に記載の方法に準じて実施する。即ち、図７に示すように脱硝装置１４内にセットされた状態の脱硝触媒２の上からシャワーノズル１０によって混液を散布するが、その前の工程として図４のシャワーノズル１０での散水による触媒の水洗い工程が追加される。
触媒の水洗いに先立ち、１００本前後の触媒が収まったバスケット１間の隙間（バスケット１を複数台並設する場合）や、バスケット１内に並設されている隣接する触媒２間の隙間ｔに弾力性のあるスポンジ１５をつめるか（図８）、或いは耐水テープ１５で目張りを行う。
これは、バスケット１内や触媒２間の隙間ｔ内に詰まっている灰は次の１、２の理由から、上記隙間ｔに、極力洗浄液がかからないようにすることが、薬品の使用量と濃度の低減から有利なためである。
【００１７】
１．完全に洗い流すには長時間を要し、且つ洗浄水量が大量に必要となり、
また排水処理量も増える。
２．除去すべき触媒表面の被毒物質の量に比べてはるかに多く、薬品消費量が多くなる。
【００１８】
目張りを終えた触媒上部から清水を散水して触媒内の付着灰を洗い流し、触媒の下部から流れ出る水の濁りがない程度にまで十分に洗い流すことで、全ての触媒に十分吸水させる。
このとき発生した排水は、排水処理装置にかけて排水の性状に応じた処理を行い、放流する。
水洗い後の触媒バスケットから水が垂れない状態になったら、供給タンク５に溶解した２ｗｔ％のシュウ酸とフッ化水素酸０．５ｗｔ％又は０．５〜５．０ｗｔ％のフッ化アンモニウムとの混液６を所定流量と所定時間で触媒２上部から散布し、触媒２下部から流出してくる混液をシート上で回収し、ポンプ７で回収ピット５（又は回収タンク）に移送する（図４）。
回収ピット５に回収した混液は、供給タンクレベルの制御でポンプを自動発停させ、供給タンクへ補給を行う。
【００１９】
混液６での洗浄条件は、洗浄流量が約１５Ｌ／分・本、洗浄時間が５分程度で良い。
洗浄中は、混液濃度を定期的にモニターして濃度が初期濃度の約８割にまで低下したら、初期濃度になるように各酸液を回収タンクに追加補充する。
混液６で所定時間洗浄後、フッ化物を後工程に持ち込まないように付着混液を十分に水又は希薄（１〜２ｗｔ％）な有機酸（シュウ酸又はクエン酸）でリンスして洗い流した後、さらに触媒成分を含む水溶液でリンスする。そして、触媒バスケット１底部から送風ブロワー９で空気を送風し、液が滴り落ちない程度まで水切りを行う（図６）。上記触媒成分はバナジウム化合物（０．１〜２．０ｗｔ％）とタングステン化合物（０．１〜５．０ｗｔ％）であって、上記フッ化物洗浄による触媒成分の溶出を阻止し、触媒表面の触媒成分を補填することができる。
水切り後の触媒バスケット１は、触媒２を装着後、自然乾燥又は送風機による通風乾燥若しくは通常の運転操作の中で排ガスを導入し、乾燥することで触媒活性の改良効果が得られる。
【００２０】
＜脱硝装置から取り外しての洗浄のケース  その１＞
触媒バスケット１は、予め真空掃除機や圧縮空気によるエアブローで堆積灰や付着灰を取り除いた状態で、触媒バスケット１が完全に浸漬できるサイズの水槽３に清水４を張り込み、この水槽３に触媒バスケット１を１分間程度浸漬する（図１）。
浸漬後、触媒バスケット１を引き上げて、高さ２０ｃｍ程度のＨ型鋼を平行に２本並べた上に触媒バスケット１を置き、水４が滴り落ちない程度まで水切りを行う。
【００２１】
水切り完了後、触媒バスケット１を２ｗｔ％のシュウ酸と０．５ｗｔ％のフッ化水素酸又は２．５％のフッ化アンモニウムとの混液６を完全に浸漬できる程度まで張り込んだ回収ピット５に約５分間浸漬する（図２）。この場合、回収ピット５内に水中ポンプ７を入れて、起動停止を行い、間欠的に混液６を攪拌させ溶解平衡状態を乱すことで洗浄除去効果を高めても良い。
所定時間浸漬した後、触媒バスケット１を引き上げて、フッ化物を後工程に持ち込まないように付着混液を十分に水又は希薄（１〜２ｗｔ％）な有機酸（シュウ酸又はクエン酸）でリンスし、さらに触媒成分（バナジウム化合物とタングステン化合物）を含む水溶液でリンスして洗い流した後、高さ２０ｃｍ程度のＨ型鋼を平行に２本並べた上に触媒バスケット１を置き、底部からブロワー９で送風して、水が滴り落ちない程度まで水切りを行う（図３）。
水切り後の触媒バスケット１は、触媒２を装着後、通常の運転操作の中で排ガスを導入し、乾燥することで触媒２の活性の改良効果が得られる。
【００２２】
＜脱硝装置から取り外しての洗浄のケース  その２＞
触媒バスケット１は、予め真空掃除機や圧縮空気によるエアブローで堆積灰や付着灰を取り除いた状態で、触媒バスケット１が完全に浸漬できるサイズの水槽３に清水４を張り込み、この水槽３に触媒バスケット１を１分間程度浸漬する（図１）。
浸漬後、触媒バスケット１を引き上げて、高さ２０ｃｍ程度のＨ型鋼を平行に２本並べた上に触媒バスケット１を置き、水４が滴り落ちない程度まで水切りを行う（図３）。
【００２３】
水洗い後の触媒バスケット１から水が垂れない状態になったら、供給タンク５に溶解した２ｗｔ％のシュウ酸とフッ化水素酸０．５ｗｔ％又は０．５〜５．０ｗｔ％のフッ化アンモニウムとの混液６を所定流量と所定時間で触媒上部から散布し、触媒下部から流出してくる混液をシート上で回収し、ポンプ７で回収ピット５（又は回収タンク）に移送する（図４）。
回収ピットに回収した混液は、供給タンクレベルの制御でポンプを自動発停させ、供給タンクへ補給を行う。
【００２４】
混液６での洗浄条件は、洗浄流量が約１５Ｌ／分・本、洗浄時間が５分程度で良い。
洗浄中は、混液濃度を定期的にモニターして濃度が初期濃度の約８割にまで低下したら、初期濃度になるように各酸液を回収ピット５に追加補充する。
混液６で所定時間洗浄後、フッ化物を後工程に持ち込まないように付着混液を十分に水又は希薄（１〜２ｗｔ％）な有機酸（シュウ酸又はクエン酸）でリンスし、さらに触媒成分（バナジウム化合物とタングステン化合物）を含む水溶液でリンスして洗い流した後（図５）、触媒バスケット１底部から送風ブロワー９で空気を送風し、液が滴り落ちない程度まで水切りを行う（図６）。
水切り後の触媒バスケット１は、触媒２を装着後、自然乾燥又は送風機による通風乾燥若しくは通常の運転操作の中で排ガスを導入し、乾燥することで触媒活性の改良効果が得られる。
【００２５】
【表１】
2011031237.tif 000003
【００２６】
【表２】
2011031237.tif 000004
【００２７】
【表３】
2011031237.tif 000005
【００２８】
【表４】
2011031237.tif 000006
サンプル触媒の性能測定結果に示されるように、水洗い工程を追加すると共に、希釈な有機酸（シュウ酸２ｗｔ％）とフッ化物の混液を用いることで、０．５ｗｔ％の低濃度のフッ化水素酸を使用した常温の混液（ケース３、１１、１４）、即ち低濃度のフッ化水素酸であっても触媒の十分な再生を実現することができることがわかった。また、０．５ｗｔ％、２．５ｗｔ％の低濃度のフッ化アンモニウム（又はフッ化ナトリウム）を使用した常温の混液（ケース７，８，８”）、即ち低濃度のフッ化アンモニウム等の水溶性フッ化物塩を使用しても触媒の十分な再生を実現することができることがわかった。
フッ化アンモニウム等の水溶性フッ化物塩の濃度は５．０ｗｔ％（ケース８’）が上限であり、これ以上フッ化アンモニウムの濃度を増しても触媒の再生能力は変わらないことがわかった。このことから、水溶性フッ化物塩の濃度は、０．５ｗｔ％〜５．０ｗｔ％の範囲内の何れかの濃度が好ましい。
また、有機酸はクエン酸（２ｗｔ％）を用いても、上記と同様の結果が得られた。
【符号の説明】
【００２９】
１    バスケット
２    触媒
３    水槽
４    清水
５    回収ピット
６    混液
７    ポンプ
８    パイプ
９    送風ブロワー
１２  リンス液
１３  リンス工程
【図１】
2011031237.tif 000007
【図２】
2011031237.tif 000008
【図３】
2011031237.tif 000009
【図４】
2011031237.tif 000010
【図５】
2011031237.tif 000011
【図６】
2011031237.tif 000012
【図７】
2011031237.tif 000013
【図８】
2011031237.tif 000014